(57)【要約】【課題】  エアコン設備をユニットバスの天井部分に設け、そのための適切な配置構造と給排気構造を有する床下調湿空調システムを提供する。【解決手段】  バスルームのユニットバス上方にエアコン設備を設置し、当該エアコン設備は空調機部分に入口チャンバー及び出口チャンバーを有し、当該入口チャンバーには居室床下からの排気用ダクトが連結チャンバー、連結ダクトを介して連結され、前記出口チャンバーには各居室の天井近くに給気する給気用ダクトが連結されている。【選択図】図１
2007322008.tif 000002
【特許請求の範囲】
【請求項１】
集合住宅における戸別建物区画毎に設置される形式の床下調湿空調システムであって、バスルームのユニットバス上方にエアコン設備を設置し、当該エアコン設備は空調機部分に入口チャンバー及び出口チャンバーを有し、当該入口チャンバーには居室床下からの排気用ダクトが連結チャンバー、連結ダクトを介して連結され、前記出口チャンバーには各居室の天井近くに給気する給気用ダクトが連結されていることを特徴とする床下調湿空調システム。
【請求項２】
請求項１記載の空調システムにおいて、上記連結チャンバーには合計８本の排気用ダクトが連結され、当該連結チャンバーと上記入口チャンバーとは２本の連結ダクトで連結され、当該連結ダクトが居室側間仕切り壁とユニットバスのユニット壁との間に設置されていることを特徴とする床下調湿空調システム。
【請求項３】
請求項１又は２記載の空調システムにおいて、上記連結ダクトは、その一方部分が居室床材の弧状切欠き部に嵌入していることを特徴とする床下調湿空調システム。
【請求項４】
請求項２記載の空調システムにおいて、上記排気用ダクトはいずれも標準規格品で内径が１００ｍｍであり、上記連結ダクトはいずれも標準規格品で内径が２００ｍｍであることを特徴とする床下調湿空調システム。
【請求項５】
請求項１〜３のいずれかに記載の空調システムにおいて、上記給気用ダクトの給気口からの空気は、室内から床外周部の隙間を通り、床下排気用ダクトに流入することを特徴とする床下調湿空調システム。
【発明の詳細な説明】
【技術分野】
【０００１】
本発明は住宅の調湿、調温等の空調システム（以下、空調システムと呼ぶ）に係り、特に、集合住宅における各戸が住宅建物の各階毎に配置される形式の住宅において、各戸毎に配置される空調システムの配置と給排気ダクトの配置及び構造に特徴を有する空調システムを提供する。
【背景技術】
【０００２】
従来から、下記特許文献１〜３に示すごとき住宅全体の空調システム又は換気システムが知られている。
このうち、例えば特許文献１（特開２００５−１４７５６５号公報）には、以下に図７を用いて説明するごとく、概略次のような換気システムが記載されている。
【０００３】
この換気システム１２０を設置した２階建て住宅１００は、１階及び２階にそれぞれの部屋Ｒ１〜Ｒ４を有しており、その他に床下通路部１０１、屋根裏１０２を有するものである。また、住宅１００の断熱材外壁と各部屋の壁との間には側面側通路部１０３，１０３が、１階の部屋Ｒ１，Ｒ２と２階の部屋Ｒ３，Ｒ４との間には階間通路部１０４が、２階の部屋Ｒ３，Ｒ４と屋根裏１０２との間には天井通路部１０５がそれぞれ形成されると共に、各部屋Ｒ１とＲ２、Ｒ３とＲ４の間にも部屋間通路部１０６が形成されている。
【０００４】
屋根裏１０２には空調器１０７及び熱交換型換気扇１０８が配置され、空調機１０７には前記の各通路部１０１〜１０６からの循環空間を換気すると共に、部屋ダクト１０９（これは各部屋に設けられる）及び床下ダクト１１０を通して空調された空気を室内に排気するものである。
【０００５】
この発明における、換気システム１２０を構築する上記空調機１０７と熱交換型換気扇１０８とは、いずれも上記屋根裏１０２に設置されており、熱交換型換気扇１０８は外気用配管１１１を有すると共に、連結配管１１２によって上記空調機１０７を連結されている。
また、各部屋Ｒ１〜Ｒ４にはそれぞれ換気ファンＦ１〜Ｆ４が、例えば上記側面側通路部１０３からの空気を取り入れるために設けられ、また、部屋間通路部１０６へ空気を排除するために排気口Ｅ１〜Ｅ４が設けられている。
なお、図中の符号１１３は風路切換えダンパを示している。
【０００６】
このような換気システムにおいては、複数の部屋Ｒ１〜Ｒ４を有する外断熱の住宅１００の床下に設けられる床下通路部１０１と、住宅１００の側面側に床下通路部１０１と連通させて設けられた側面側通路部１０３と、住宅１００の天井側に側面側通路部１０３と連通させて設けられた天井通路部１０５と、屋外から外気を取り込むとともに、屋内の内気を排出する熱交換型換気扇１０８および空調機１０７と、空調機１０７と床下通路部１０１とを接続する床下ダクト１１０と、空調機１０７と部屋Ｒ１〜Ｒ４とを接続する部屋ダクト１０９と、換気手段により取り込んだ外気の流路を床下ダクト１１０と部屋ダクト１０９の間で切り換える風路切換えダンパ１１３と、部屋の内気を換気手段に連なる部屋間通路部１０６に向けて排出する換気ファンＦ１〜Ｆ４および排気口Ｅ１〜Ｅ４と、を備えているので、風路切換えダンパ１１３により部屋または床下通路部１０１に気流を送出して住宅１００の部屋、床下通路部１０１、側面側通路部１０３、階間通路部１０４、天井通路部１０５を気流が循環し、天井通路部１０５から換気手段を介して内気を住宅外に排出して換気できる。このため、特に床下のカビ、結露の発生を抑制できるとともに、風路切換え手段により部屋の空調および換気もできるという効果がある。
【０００７】
また、換気手段は、外気と内気との間で熱交換する熱交換器を備えているとともに、熱交換器の高さを屋根裏最狭部の高さよりも低く設定されているので、熱交換器が薄型化し、屋根裏１０２などに容易に設置することができる。更に、換気手段は外気を取り込むとともに、内気を排出する熱交換型換気扇１０８を備えているので、部屋等を外気によって換気することができるものである。
【０００８】
次に、特許文献２（特開２０００−２４５７号公報）に記載された発明は、概略次のような住宅のシステム換気装置である。
すなわちこの発明にかかる住宅のシステム換気装置は、居住空間部と、居住空間部の上部に設けた屋根裏空間部と、居住空間部の下部に設けた床下空間部とを備えた住宅であって、住宅外から居住空間部内に給気し、給気した空気を屋根裏空間部に通した後に居住空間部に送り出し、居住空間部から床下空間部に通した後に住宅外に排出する構造のものである。
【０００９】
更に、特許文献３（特開２００２−３９５９３号公報）に記載された発明は次のような室内換気システムである。
すなわち、この発明による室内換気システムは、部屋を区画する室内壁などの区画部位と当該区画部位に沿って配置される複数の床材の端部との間に隙間を設け、この隙間を介して室内と床下空間とが連通する如く構成された床と、天井又は壁又は床に設けた吸引孔を介して室内の空気を室外に吸引する空気吸引手段と、この空気吸引手段により室外に吸引された空気を浄化する空気浄化手段を備え、この空気浄化手段により浄化された空気を上記隙間を介して再び室内に導くようにしたものである。
【００１０】
また、壁スラブと室内壁との間、あるいは間仕切りの内部に、床下空間と天井上空間とを連通する連通空間を設けると共に、上記導入孔を介して空気を再び室内に導く場合には当該導入孔付近に上記空気浄化手段を設け、上記隙間を介して空気を再び室内に導く場合には当該隙間付近に上記空気浄化手段を設け、上記空気浄化手段として、シックハウス症候群の原因となるホルムアルデヒドやＶＯＣを分解又は除去する機能を備えた空気浄化装置を設けるようにしたものである。
【特許文献１】特開２００５−１４７５６５号公報
【特許文献２】特開２０００−２４５７号公報
【特許文献３】特開２００２−３９５９３号公報
【発明の開示】
【発明が解決しようとする課題】
【００１１】
上記公知の発明に係る空調システムは、いずれもその調湿及び換気ユニットに連結されるエアコン設備（温度、湿度その他熱交換器等）を天井裏に設置する形式のものである。しかしながら、本発明が対象とするような集合住宅にあっては、通常の居室その他の部分に上記公知例における天井裏に相当するスペースが狭く設置できるケースが少ない。
また、各戸がそれぞれ小規模の住宅を対象とする集合住宅にあっては、上記エアコン設備を設置するスペースが十分に確保できないばかりでなく、その給排気用配管のスペースの確保も困難である。
【００１２】
そこで、本発明に係る空調システムでは、上記エアコン設備を、このような住宅に一般的に設置されるところのユニットバスの天井部分に設けるものとし、そのための適切な配置構造と給排気構造を有する床下調湿空調システムを提供するものである。
また、床下から集められた排気をチャンバーに集め、ユニットバス天井部に設けた空調システムのエアコン設備に導く、ダクト配置を改良するものである。
【課題を解決するための手段】
【００１３】
本発明は、集合住宅における戸別建物区画毎に設置される形式の床下調湿空調システムであって、バスルームのユニットバス上方にエアコン設備を設置し、当該エアコン設備は空調機部分に入口チャンバー及び出口チャンバーを有し、当該入口チャンバーには居室床下からの排気用ダクトが連結チャンバー、連結ダクトを介して連結され、前記出口チャンバーには各居室の天井近くに給気する給気用ダクトが連結されていることを特徴とする。
また、上記連結チャンバーには合計８本の排気用ダクトが連結され、当該連結チャンバーと上記入口チャンバーとは２本の連結ダクトで連結され、当該連結ダクトが居室側間仕切り壁とユニットバスのユニット壁との間に設置されている。
上記連結ダクトは、その一方部分が居室床材の弧状切欠き部に嵌入していることを特徴とし、上記排気用ダクトはいずれも標準規格品で内径が１００ｍｍであり、上記連結ダクトはいずれも標準規格品で内径が２００ｍｍである。
【発明の効果】
【００１４】
本発明の床下調湿空調システムによれば、各戸の専有スペースが比較的小さい集合住宅にあって、通常はデッドスペースとなるユニットバス上方のスペースを有効に活用できると共に、空調システムの設置及び保守、交換がユニットバス天井板部から容易に行えるものとなった。
また、床下排気とすることによって居室内の空気の流れを平均化でき、床部に温度調節手段を設けることなく床暖房・床冷房の効果を持たせることができる等の効果を奏するものである。そして、天井近くで給気される空気の湿度は、床下排気用のダクトの適切な配置によって、床下でも均一になり、フローリングの吸湿による反りを防止することができた。
更に、本発明に特有の連結チャンバーを用いることによって、居室とユニットバスとの境界壁部のスペースを有効に利用することもできた。
【発明を実施するための最良の形態】
【００１５】
本発明の実施の形態を図１〜図６により説明する。
図１は、本発明の床下調湿空調システム３０と、これを設置する住宅区画１０との概略斜視図であり、特にその上方部分を重点的に示している。
住宅区画１０は外壁１１，１１により区画された部分に、通常の居室１２（Ｒ１，Ｒ２等）の外、バスルーム・スペース１３、ユーティリティ・スペース１４、パントリー１５、玄関部１６等を有している。また、符号１７は居室Ｒ１，Ｒ２間の間仕切り、１８は居室Ｒ２とバスルーム・スペース１３との居室側仕切壁部を特に示している。
【００１６】
該図１においてその上方部分を特に示す空調システム３０は、空調機３１と一般的な熱交換型換気装置３２とを有しており、特に空調機３１を上記バスルーム・スペース１３の上部に設置することを特徴的構成の１つとしている。
また、該空調機３１の吸気側入口チャンバー３３には、屋外より新鮮な空気を取り込むために、上記熱交換型換気装置３２を経由したダクトＤ１が接続されている。
【００１７】
図示のバスルーム・スペース１３、ユーティリティ・スペース１４、パントリー１５からの排気は、それぞれダクトＤ２，Ｄ３，Ｄ４を介して上記熱交換型換気装置３２に送られ、該熱交換型換気装置３２で上記ダクトＤ１との間で熱交換が行われた後に、ダクトＤ５から外気へ放出される構造である。
また、居室１２（Ｒ１，Ｒ２）及び玄関スペース１６における給気口は、それぞれ天井裏に配設されたダクトＤ６，Ｄ７，Ｄ８を介して吐出側出口チャンバー３４に接続され、上記空調機３１により調温、調湿が行われた空気が、再度各部屋に供給される。
【００１８】
図２は、上記図１における床下部分を示しており、特に住宅区画の各部屋及び種々のスペースへの配管構造が示されている。すなわち、居室１２にはその各室Ｒ１，Ｒ２の床下にそれぞれ排気口を有する排気ダクトｄ１〜ｄ８が設けられており、例えば居室Ｒ１にはダクトｄ１〜ｄ４（ｄ４は見えない）が、居室Ｒ２及び玄関スペース１６にはダクトｄ５〜ｄ８（ｄ７は見えない）が配されている。そして、これらのダクトｄ１〜ｄ８の一端は全て、後に説明する連結チャンバー３５に接続されている。
【００１９】
図３は、本発明の特徴的構造の１つである連結チャンバー３５近傍の配管構造を示しており、特に、上記８本の排気ダクトｄ１〜ｄ８とこれらを集めて２本の連結ダクトＤ９，Ｄ９に連結する連結チャンバー３５との構造を示している。また、この図は他の特徴的構造である、該連結チャンバー３５及び連結ダクトＤ９，Ｄ９の間仕切り壁内への設置構造の詳細を示している。
【００２０】
図２及び図３から明らかなように、居室Ｒ２とバスルーム・スペース１３との居室側間仕切り壁１８部分の床下には連結チャンバー３５が設置され、当該連結チャンバー３５には、上記居室Ｒ１，Ｒ２及び玄関スペースから集められる全ての排気口からの８本のダクトｄ１〜ｄ８が連結されている。この場合、当該連結チャンバー３５はその両側面にそれぞれ４本のダクトｄ１〜ｄ４及びｄ５〜ｄ８が接続されていることも特徴的である。
【００２１】
このような各ダクトｄ１〜ｄ８は、内径１００ｍｍの保温フレキシブルダクトによって構成されており、これらのダクト及びその先端部の排気口は、上記図２に示すように各室の床下部に配置され、後述するごとく居室の周壁部を通して室内から床下空間に流入した空気を効率良く集められるように、配置構成されている。
【００２２】
図３に示すように、床材下の下方に配置された連結チャンバー３５の上面には、２本の連結ダクトＤ９，Ｄ９が連結されており、これらのダクトＤ９，Ｄ９は後に詳述するバスルーム１３と居室Ｒ２との間の間仕切り壁１８内を通って、ユニットバスの天井部分に設置された空調機の吸気側入口チャンバー３３（図４参照）に連結されている。
【００２３】
図３及び図４において明らかなように、上記連結チャンバー３５からユニットバスの天井部分における空調機の吸気側入口チャンバー３３に連結される連結ダクトＤ９，Ｄ９は、その下方部分のみを示す居室側間仕切り壁１８の一方面に配置される。この場合、連結ダクトＤ９，Ｄ９は内径２００ｍｍの保温フレキシブルダクトを２本用いているので、これを当該間仕切り壁１８と後述するユニットバスの側壁との間に設置するために、本発明の特有の構成を有している。
【００２４】
ユニットバス２５の一方の壁（以後、ユニット壁と言う）２６と上記居室側間仕切り壁（の一部のみを示す）１８との間には、上述の連結ダクトＤ９，Ｄ９が配置されており、図４に示す状態からユニットバス２５のユニット壁２６に対して連結ダクトＤ９，Ｄ９及び居室側間仕切り壁１８を接近させ、これら２面の壁２６、１８の間に連結ダクトＤ９，Ｄ９を挟み込む形式で設置される。
【００２５】
この場合、特に図３から明らかなように、上記２面の壁２６、１８間に連結ダクトＤ９，Ｄ９を通し、しかもこれら２面の壁間のスペースをなるべく狭くするために、本発明に特有の構成が採用されている。すなわち後述するように、２本の連結ダクトＤ９，Ｄ９は、居室側仕切り壁１８を構成する各２本の壁下地材１９，１９のそれぞれの間に配置される。
【００２６】
詳細に説明すると、居室側仕切り壁１８は居室Ｒ２の床材Ｆ上に設けられたランナー２０上に、複数の壁下地材１９〜１９を立設することにより形成されるけれども、本発明の場合、上記のようになるべく２面の壁２６、１８間を狭くするために、連結ダクトＤ９，Ｄ９を収容する部分に工夫を凝らしている。
【００２７】
具体的には、一般的な一本の壁下地設置用ランナーに代えて、その途中を下地材１９，１９間の１個所おきに切除することにより、下地材用ランナー２０を不連続なものとしている。これは、図３において各切断されたランナー２０Ａ，２０Ｂ，２０Ｃによって表示している。そして、これらランナー２０の存在しない下地材間において、すなわち壁下地材１９，１９間の１つおきに、上記床部の構成材を一部円弧状に切除し、上記切断されたランナー２０Ａ，２０Ｂ，２０Ｃ間に切欠部ＦＡ，ＦＡを形成するものである。
【００２８】
従って、連結チャンバー３５から空調機の吸込側入口チャンバー３３に連なる連結ダクトＤ９，Ｄ９は、その一方側が上記床下の切欠ＦＡ，ＦＡに嵌入することとなり、更にフレキシブルダクトを押圧してより偏平にすることにより、居室側仕切り壁とユニット壁との厚さを可成り薄く形成することができる。
この場合、上記間仕切り壁１８における下地材１９〜１９の設置間隔ピッチＰは通常の３０３ｍｍとされるので、内径２００ｍｍのダクトＤ９を多少偏平（断面楕円形）にすることによって、十分に上記壁間を薄くすることができる。
【００２９】
上記の連結ダクトＤ９，Ｄ９の設置状況は図４に明らかである。図３の状態に配置された間仕切り壁１８と連結チャンバー３５及び連結ダクトＤ９，Ｄ９は、図４のごとく当該壁１８と共にユニットバス２５のユニット壁２６に押圧することによって達成される。なお、図４において符号２７はバスタブを、符号２８は洗い場床をそれぞれ示しており、空調システムを構成する上述の空調機、入口チャンバー３３、出口チャンバー３４は、いずれもユニットバス２５の天井部上方に位置することとなる。
【００３０】
図５は、例えば上記居室Ｒ１における空気の循環状態を示している。このようなフローリング床の場合にあっては、床材Ｆが一般的にパーティクルボードと合板からなる基材上に床表面材ＦＳを重ねて構成されている。また、このような床材Ｆは多数の支持脚２３〜２３によりコンクリートスラブ上に支持されていると共に、居室Ｒ１の区画壁１１（及び１７）の壁材１１Ａ表面には巾木２２が設けられている。
【００３１】
本発明の空調システムにあっては、居室の天井部分に供給される空調された新しい空気は、室内を循環した後に、上述の区画壁１１内面の壁材１１Ａに設けられた巾木２２と、床材Ｆの床表面材ＦＳ端部との間に形成される隙間Ｓを通って床下空間２１に達した後、例えば排気ダクトｄ２（図２参照）等、床下の居室周辺部に設置された排気口に吸引される。また、このような隙間Ｓは床材Ｆの外周面に渡って設けられ、そのために居室Ｒ１の壁間寸法よりも上記床材Ｆの寸法が小さく作成されている。
【００３２】
居室Ｒ１，Ｒ２の床材Ｆ上面が例えば畳の場合は、図示されていないけれども、上記区画壁１１（又は１７等）の壁材１１Ａと畳の側端部に設けられる見切材（周縁）との間に、例えば巾２５ｍｍ、深さ３ｍｍ程度の切欠を該見切材に多数形成し、当該見切材と壁材との間の多数の隙間から室内空気を床下に排気する構成とされている。
従って、このような畳を用いた室内においても、図５と同様に居室天井部分より供給される空調された新鮮な空気は、室内を循環した後に床から排気ダクトｄ２（実際はｄ１〜ｄ８）に吸引される。
【００３３】
図６は、本発明を適切に実施する上で重要となるユニットバス２５の天井部構造を示している。
ユニットバス２５は通常、縦横が１６００ｍｍ×１８００ｍｍであって、高さは２２００〜２３００ｍｍであるが、一般的な集合住宅におけるバスルーム・スペースにあっては、床から天井部の高さが２７００〜２８００ｍｍであり、ユニットバス２５の天井板上部に空調機等を設置する余裕が十分にある。
【００３４】
本発明におけるユニットバス２５においては、その天井板２９が周囲のユニット壁２６〜２６の上部枠内に嵌入する形式とされている。
このような天井板２９は図示のごとく、例えば各天井板２９Ａ，２９Ｂに２分割されていて、略中央部で互いに重なり合う構造とされている。そして、例えば対向する１対のユニット壁２６，２６の上端部には、断面が鈎形に形成された鈎形金具２９１，２９１が取付けられ、これらは長尺体であって、当該１対のユニット壁２６，２６の上端部に係止されると共に、その内側水平部により上記天井板２９Ａ，２９Ｂを支持する構造である。
【００３５】
同図中に一部を拡大して示す固定部分は、上記天井板２９Ａ，２９Ｂの連結部と両側端部を、それぞれボルト・ナットにより上記鈎形金具２９１，２９１に対し、ユニットバス２５の内部から取付け、取り外し自在に固定するものである。従って、天井板２９Ａ，２９Ｂの上面に予めナットを固定しておき、ユニットバス２５の内部からボルトを操作することにより、ユニットバスの天井外部に空調機器を設置し、また、これら空調機の設置保守等の作業を自由に行うことができる。
【図面の簡単な説明】
【００３６】
【図１】本発明の床下調湿空調システムと、これを設置する住宅区画の概略斜視図である。
【図２】本発明の床下調湿空調システムを施した床下部分と、これを設置した住宅区画の概略斜視図である。
【図３】本発明の空調システムに係る連結チャンバー部の拡大図である。
【図４】本発明の空調システムの主要部取付説明図である。
【図５】床下吸引部の説明図である。
【図６】ユニットバス天井部の斜視図である。
【図７】従来例に係る換気システムの説明図である。
【符号の説明】
【００３７】
１０  住宅区画
１１  区画壁
１２  居室
１３  バスルーム・スペース
１４  ユーティリティ・スペース
１５  パントリー
１６  玄関スペース
１７  間仕切り壁
１８  間仕切り壁
１９  壁下地材
２０  ランナー
２１  床下空間
２２  巾木
２３  支持脚
２５  ユニットバス
２６  ユニット壁
２７  バスタブ
２８  洗い場
２９  天井板
３０  空調システム
３１  空調機
３２  熱交換型換気装置
３３  入口チャンバー
３４  出口チャンバー
３５  連結チャンバー
Ｄ１〜Ｄ９  ダクト
ｄ１〜ｄ８  ダクト
Ｆ  床材
ＦＡ  床切欠
Ｓ  隙間
【図１】
2007322008.tif 000003
【図２】
2007322008.tif 000004
【図３】
2007322008.tif 000005
【図４】
2007322008.tif 000006
【図５】
2007322008.tif 000007
【図６】
2007322008.tif 000008
【図７】
2007322008.tif 000009